(57)【特許請求の範囲】
【請求項１】
横枠（１１）と、前記横枠（１１）と固定接続され、方向転換ガイドレール（１３）が設けられている縦枠（１２）と、前記方向転換ガイドレール（１３）に沿って上下にスライド可能な開放扉（２）と、を備える垂直スライド窓であって、
前記垂直スライド窓は、
ハウジング（３１）と、一部が前記ハウジング内に設けられる回転軸（３２）と、両端が前記ハウジング（３１）の内壁と前記回転軸（３２）とにそれぞれ固定接続される渦巻きばね（３４）と、前記回転軸（３２）に固定接続され、テーパ面に螺旋凹溝（３３１）が設けられている段プーリ（３３）と、を備えるバランスウェイト装置（３）と、
下端が前記開放扉（２）に固定接続され、上端が前記段プーリ（３３）に固定接続されているバランスウェイト牽引ロープ（４）と、
ギアと、ラックと、ガイド位置決め部材とを有するラッチ駆動機構と、を備え、
前記開放扉（２）が下から上に移動する際に、前記渦巻きばね（３４）による弾性変形力は、前記バランスウェイト牽引ロープ（４）が前記螺旋凹溝（３３１）に巻き取られていくようにするとともに、前記渦巻きばね（３４）の弾性変形力が小さくなっていき、
前記開放扉（２）と前記縦枠（１２）とのいずれか一方にラッチが設けられ、他方にラッチ穴またはラッチ溝が設けられ、
前記ラッチは、前記ラッチ穴または前記ラッチ溝内に挿入されて、前記開放扉（２）を所定の位置に位置決めさせるためのものであり、
前記ギアは、前記ラックと噛み合い、前記ラックは、前記ギアの回転によって連動されて前記ガイド位置決め部材に沿って移動し、
前記ラッチは、前記ラックの自由端に取り付けられることを特徴とする垂直スライド窓。
【請求項２】
前記開放扉（２）が前記方向転換ガイドレール（１３）に沿って上に移動する際に、前記バランスウェイト牽引ロープ（４）は、前記段プーリ（３３）のテーパ基部からテーパ頂部へ前記螺旋凹溝（３３１）に巻き取られていくことを特徴とする請求項１に記載の垂直スライド窓。
【請求項３】
前記渦巻きばね（３４）が回転軸（３２）に作用するモーメントと前記バランスウェイト牽引ロープ（４）が巻き取られる螺旋凹溝（３３１）の最小半径との比は、恒常値であ
ることを特徴とする請求項２に記載の垂直スライド窓。
【請求項４】
前記ギアを駆動して回転させるためのハンドル（２１）をさらに備えることを特徴とする請求項１に記載の垂直スライド窓。
【請求項５】
駆動機構と駆動牽引ロープとをさらに備え、
前記駆動牽引ロープは、下端が前記開放扉（２）に固定接続され、上端が前記駆動機構に接続され、
前記駆動機構は、前記駆動牽引ロープに連動されて前記開放扉（２）が方向転換ガイドレール（１３）に沿って上下にスライドするようにすることを特徴とする請求項１に記載の垂直スライド窓。
【請求項６】
前記バランスウェイト装置（３）は、前記横枠（１１）に取り付けられ、
前記横枠（１１）の縁部に取り付けられる案内定滑車（５）をさらに備え、
前記バランスウェイト牽引ロープ（４）は、前記案内定滑車（５）を経由して転向することを特徴とする請求項１に記載の垂直スライド窓。
【発明の詳細な説明】
【技術分野】
【０００１】
本願は、２０１７年３月１６日に中国国家知識財産権局に提出した、出願番号が２０１７２０２６０８７５．４であり、発明の名称が「垂直スライド窓」の中国特許出願の優先権を要求し、その全ての内容が本願に参照として組み込まれる。
【０００２】
本願は、窓の技術分野に関し、特に、垂直スライド窓に関する。
【背景技術】
【０００３】
垂直スライド窓は、窓の扉を縦方向に開放可能な新型の窓であり、ビル建設分野での使用が日増しに普及されている。垂直スライド窓は、開放扉と、横枠と、縦枠と、開放装置とを備え、縦枠には方向転換ガイドレールが取り付けられ、開放扉は縦枠と接する表面にガイド部材が取り付けられ、ガイド部材は、開放扉が方向転換ガイドレールに沿って上下に移動するように、方向転換ガイドレールに挿入され、開放装置は、牽引ロープと動力部材とを備え、牽引ロープは、一端が開放扉に固定接続され、他端が動力部材に接続され、動力部材は、開放扉が方向転換ガイドレールに沿って上下に移動するように、牽引ロープの巻き取りや巻き出しを制御する。
【０００４】
使用のニーズが高まることに伴い、垂直スライド窓における開放扉のサイズや重さが大きくなっている。開放扉の上下移動のニーズを満たすために、開放装置が供給する開放動力や開放パワーも大きくなり、垂直スライド窓の生産と使用とのコストが増加してしまう。
【発明の概要】
【０００５】
本願は、開放扉のサイズや重さが大きくなることで、可動扉の開放時の開放動力や開放パワーが増加されるような問題を解決することができる、新たな垂直スライド窓を提供する。
【０００６】
横枠と、前記横枠と接続され、方向転換ガイドレールが設けられている縦枠と、前記方向転換ガイドレールに沿って上下にスライド可能な開放扉と、を備える垂直スライド窓であって、
前記垂直スライド窓は、
ハウジングと、一部が前記ハウジング内に設けられる回転軸と、両端が前記ハウジングの内壁と前記回転軸とにそれぞれ固定接続される渦巻きばねと、前記回転軸に固定接続され、テーパ面に螺旋凹溝が設けられている段プーリと、を備えるバランスウェイト装置と、
下端が前記開放扉に固定接続され、上端が前記段プーリに固定接続されているバランスウェイト牽引ロープと、を備え、
前記開放扉２が下から上に移動する際に、前記渦巻きばねによる弾性変形力は、前記バランスウェイト牽引ロープが前記螺旋凹溝に巻き取られていくようにするとともに、前記渦巻きばねの弾性変形力が小さくなっていく。
【０００７】
また、前記開放扉が前記方向転換ガイドレールに沿って上に移動する際に、前記バランスウェイト牽引ロープは、前記段プーリのテーパ基部からテーパ頂部へ前記螺旋凹溝に巻き取られていく。
【０００８】
また、前記渦巻きばねの弾性変形力と前記バランスウェイト牽引ロープが巻き取られる螺旋凹溝の最小半径との比は恒常値である。
【０００９】
また、前記開放扉と前記縦枠とのいずれか一方にラッチが設けられ、他方にラッチ穴またはラッチ溝が設けられ、
前記ラッチは、前記ラッチ穴または前記ラッチ溝内に移動可能に挿入される。
【００１０】
また、ラッチ駆動機構をさらに備え、
前記ラッチ駆動機構は、ギアと、ラックと、ガイド位置決め部材とを備え、前記ギアは、前記ラックと噛み合い、前記ラックは、前記ギアの回転によって連動されて前記ガイド位置決め部材に沿って移動し、
前記ラッチは、前記ラックの自由端に取り付けられる。
【００１１】
また、前記ギアを駆動して回転させるハンドルをさらに備える。
【００１２】
また、駆動機構と駆動牽引ロープとをさらに備え、
前記駆動牽引ロープは、下端が前記開放扉に固定接続され、上端が前記駆動機構に接続される。
【００１３】
また、前記バランスウェイト装置は、前記横枠に取り付けられ、
前記横枠の縁部に取り付けられる案内定滑車をさらに備え、
前記バランスウェイト牽引ロープは、前記案内定滑車を経由して転向する。
【００１４】
本願の実施例に係る垂直スライド窓は、バランスウェイト装置と、バランスウェイト牽引ロープと、を備え、バランスウェイト牽引ロープは、下端が開放扉に固定接続され、上端がバランスウェイト装置における段プーリに固定接続される。開放扉が下から上に移動する際に、渦巻きばねの弾性変形力が回転軸に作用して発生されるモーメントが、バランスウェイト牽引ロープが段プーリに作用するモーメントより僅かに大きいので、バランスウェイト牽引ロープは、回転軸の回転によって段プーリの螺旋凹溝に巻き取られていく。この過程において、渦巻きばねの弾性力によるポテンシャルエネルギーは、開放扉の一部の重力によるポテンシャルエネルギーに転換され、可動扉が上から下に移動する際に、上記と逆にバランスウェイト牽引ロープが段プーリに作用するモーメントが、渦巻きばねの弾性変形力が回転軸に作用するモーメントより大きいので、開放扉の重力によるポテンシャルエネルギーが渦巻きばねの弾性力によるポテンシャルエネルギーに転換される。弾性力によるポテンシャルエネルギーと重力によるポテンシャルエネルギーとの相互転換により、垂直スライド窓は、開放扉が駆動されて上下に移動する際の外部作用力とエネルギー消耗を小さくすることができる。
【図面の簡単な説明】
【００１５】
本願の技術事項をより明確に説明するために、実施例で参照される図面を簡単に紹介し、当業者であれば、創造的な労力が必要なく、これらの図面から他の図面を得ることができるようにする。
【００１６】
【図１】本願の実施例に係る垂直スライド窓の概略立体図である。
【図２】本願の実施例に係る垂直スライド窓の断面の概略正面図である。
【図３】図２のＡ−Ａに沿う断面図である。
【図４】図２のＢ部分の拡大図である。
【図５】バランスウェイト装置の正面図である。
【図６】図５のＣ−Ｃに沿う断面図である。
【発明を実施するための形態】
【００１７】
以下、本願の実施例における図面を参照して、本願の実施例における技術的解決手段を
詳細に説明する。
【００１８】
図１は、本願の実施例に係る垂直スライド窓の概略立体図である。図１に示すように、本願の実施例に係る垂直スライド窓は、窓枠１と、窓枠１内に取り付けられる開放扉２と、を備える。
【００１９】
窓枠１は、横枠１１と縦枠１２とを備え、横枠１１の端部は、縦枠１２の端部に固定接続される。縦枠１２の内側には、方向転換ガイド１３が設けられ、開放扉２の側面には、方向転換ガイドレール１３に挿入可能なガイド部材が設けられ、ガイド部材と方向転換ガイドレール１３とは、開放扉２が方向転換ガイドレール１３に沿って上下にスライド可能でるように係合されている。
【００２０】
図１に示すように、開放扉２の開閉を容易にするために、本実施例では、各縦枠１２に、それぞれ２つの方向転換ガイドレール１３が設けられており、各方向転換ガイドレール１３は、開放扉２を上下にスライドさせるための縦部１３１と、開放扉２を窓枠１に密着するように移動させるための方向転換折り曲げ部１３２と、を備える。
【００２１】
図２は、本願の実施例に係る垂直スライド窓の断面概略正面図であり、図３は、図２のＡ−Ａに沿う断面図であり、図４は、図２のＢ部分の拡大図である。図２〜図４に示すように、本実施例における垂直スライド窓は、前述した窓枠１及び開放扉２に加えて、バランスウェイト装置３と、バランスウェイト牽引ロープ４と、をさらに備える。
【００２２】
図５は、バランスウェイト装置の正面図であり、図６は、図５のＣ−Ｃに沿う断面図である。本実施例のバランスウェイト装置３は、図５及び図６に示すように、ハウジング３１と、回転軸３２と、渦巻きばね３４と、段プーリ３３と、を備える。ハウジング３１は、中空チャンバを有し、ハウジング３１の側壁には回転軸穴が設けられ、回転軸３２の一部は回転軸穴を通ってハウジング３１の中空チャンバ内に挿入される。段プーリ３３も、その軸心部分に回転軸穴を有し、回転軸３２は、回転軸穴に挿入され、接続固定キーを介して段プーリ３３に固定接続され、段プーリ３３は、回転軸３２の回転に伴ってこの回転軸３２と共に回転される。また、段プーリ３３のテーパ面には、螺旋凹溝３３１が設けられている。渦巻きばね３４は、ハウジング３１の中空チャンバ内に取り付けられ、一端がハウジング３１の内側壁に固定接続され、他端が回転軸３２のハウジング３１内に位置する部分に固定接続される。
【００２３】
バランスウェイト牽引ロープ４は、図３に示すように、その下端が開放扉２に固定接続され、上端がバランスウェイト装置３における段プーリ３３に固定接続されて、段プーリ３３の螺旋凹溝３３１に巻き取られる。
【００２４】
以下、本願の実施例では、バランスウェイト装置３を利用して垂直スライド窓を開放する際にどのように動力消耗を軽減するかを原理的に説明する。
【００２５】
本実施例では、渦巻きばね３４は、回転軸３２がバランスウェイト牽引ロープ４を巻き取る傾向を持つように、回転軸３２に弾性変形力を作用する。開放扉２が下から上に移動する際に、渦巻きばね３４の弾性変形力は、回転軸３２に一定のモーメントを発生させて外力の作用と協力し、このモーメントは、バランスウェイト牽引ロープ４が段プーリ３３に作用するモーメントより僅かに大きいので、バランスウェイト牽引ロープ４は回転軸３２の回転によって段プーリ３３の螺旋凹溝３３１に巻き取られていく。この過程で、渦巻きばね３４の弾性変形力は小さくなっていき、渦巻きばね３４の弾性力によるポテンシャルエネルギーは、回転軸３２、段プーリ３３及びバランスウェイト牽引ロープ４を介して開放扉２の一部の重力によるポテンシャルエネルギーに転換される。
【００２６】
開放扉２が方向転換ガイドレールに沿って下に移動する場合、バランスウェイト牽引ロープ４が段プーリ３３に作用するモーメントは、渦巻きばね３４が回転軸３２に作用するモーメントより僅かに大きくなり、回転軸３２の回転によって、バランスウェイト牽引ロープ４が螺旋凹溝３３１から巻き出されていく。この過程で、開放扉２の一部の重力によるポテンシャルエネルギーは、バランスウェイト牽引ロープ４、段プーリ３３及び回転軸３２を介して渦巻きばね３４の弾性力によるポテンシャルエネルギーに転換される。
【００２７】
渦巻きばね３４の弾性力によるポテンシャルエネルギーと開放扉２の重力によるポテンシャルエネルギーとの転化によって、開放扉２を駆動して上下に移動させる際の外部作用力を低減して、外部エネルギーの消耗を節約することができる。
【００２８】
前述したように、開放扉２の上方への移動に伴って渦巻きばね３４の弾性変形力は小さくなっていき、渦巻きばね３４が回転軸３２に作用するモーメントも小さくなっていく。本実施例では、弾性変形力が小さくなっていく場合にもバランスウェイト牽引ロープ４が段プーリ３３に良好に巻き取られるように、開放扉２の上方への移動過程においてバランスウェイト牽引ロープ４は段プーリ３３のテーパ基部から段プーリ３３のテーパ頂部へ移動していきながら螺旋凹溝３３１内に巻き取られる。バランスウェイト牽引ロープ４が段プーリ３３のテーパ基部からテーパ頂部に移動していくため、バランスウェイト牽引ロープ４が段プーリに作用するフォースアームが小さくなっていくことによって、バランスウェイト牽引ロープ４が段プーリに作用するモーメントも小さくなっていき、これに対応する、渦巻きばね３４の抗するねじりモーメントも小さくなっていく。
【００２９】
本実施例では、各時刻において、渦巻きばね３４が回転軸３２に作用するモーメントとバランスウェイト牽引ロープに巻き取られる螺旋凹溝３３１の最小半径との比が恒常値となっている。渦巻きばね３４が回転軸３２に作用するモーメントアームが不変であり、バランスウェイト牽引ロープ４が段プーリ３３に作用する牽引力が不変であるので、渦巻きばね３４が回転軸３２に作用するモーメントとバランスウェイト牽引ロープに巻き取られる螺旋凹溝３３１の最小半径との比が恒常である前提下で、渦巻きばね３４がバランスウェイト牽引ロープの牽引力を抗する力が不変であり、外部からの力が抗すべきである開放扉２の重力も恒常である。従って、外部からの力が恒常に維持されることができる。
【００３０】
ある実際の応用では、垂直スライド窓を手動で開放する方式を採用する。この場合には、渦巻きばね３４が回転軸３２に作用するねじりモーメントが、バランスウェイト牽引ロープ４が段プーリ３３に作用するねじりモーメントより小さいため、垂直スライド窓は全開まで落下することが多い。これらの問題を回避するために、本願の実施例に係る垂直スライド窓は、開放扉２にラッチが設けられ、垂直スライド窓には間隔をあけてラッチ穴またはラッチ溝が設けられ、開放扉２が設定された位置まで移動すると、開放扉２のラッチを対応するラッチ穴に挿入させることにより、開放扉２の可動扉に対する位置を固定させる。
【００３１】
勿論、他の実施例において、縦枠１２にラッチを設け、開放扉２にラッチ溝またはラッチ穴を設けることにより、開放扉２の位置決め機能を実現することができる。
【００３２】
本実施例では、ラッチは、開放扉２の下枠の内側でありかつ縦枠１２に面する側に設けられ、ラッチ溝またはラッチ穴は、縦枠１２の開放扉２に面する側に設けられる。さらに、開放扉２はラッチ駆動機構をさらに備える。例えば、ラッチ駆動機構は、ギアと、ラックと、位置決めガイド部材と、を備え、ギアは、ラックと噛み合って接続され、ラックは、ギアが回転する際に連動されてガイド部材に沿って移動する。ラッチは、ラックの自由端に取り付けられるため、ギアの回転を制御することによって、ラッチをラッチ溝または
ラッチ穴に出入させる。勿論、他の実施例では、ラッチ駆動機構は他のタイプであってもよいが、ここでそれに対する説明を省略する。
【００３３】
さらに、本願の実施例では、開放扉２には、ギアを駆動して回転させるためのハンドル２１が設けられる。実際の応用において、オペレータがハンドル２１を操作することにより、ラッチを制御して開放扉２を上下に移動させる。
【００３４】
他の実際の応用においては、垂直スライド窓は自動オープン方式を採用する。具体的には、垂直スライド窓は、駆動機構と駆動牽引ロープとを備え、駆動牽引ロープの下端は開放扉２に固定接続され、上端は駆動機構に接続され、開放扉２の開放位置は、駆動機構の閉鎖状況によって決定される。駆動機構及び駆動牽引ロープは、重力に抗する方式で開放扉２の昇降を実現するので、開放扉２の自動的な上昇を防止するためには、渦巻きばね３４が回転軸３２に作用するモーメントを、バランスウェイト牽引ロープ４が段プーリ３３に作用するモーメントより小さくすべきである。
【００３５】
図２に示すように、本実施例では、横枠１１の縁部に案内定滑車５が取り付けられ、バランスウェイト牽引ロープ４は案内定滑車５を経由してバランスウェイト装置３における段プーリ３３に固定接続される。
【００３６】
図２に示すように、本実施例に係る垂直スライド窓は、２つのバランスウェイト装置３を備え、２つのバランスウェイト装置３は、いずれも横枠１１に取り付けられる。他の実施例では、バランスウェイト装置の数は２つに限定されるものではなく、バランスウェイト装置は、横枠に設けられることに限定されることでもなく、縦枠または窓の他の位置に取り付けられてもよい。
【００３７】
以上、本願の実施例における垂直スライド窓に対して詳細に説明した。本部分は、具体的な実施例で本発明の原理及び実施形態を説明したものであり、以上の実施例に対する説明は、本出願の要旨を理解するためのものであり、本願の原理を逸脱しない前提下で、当業者であれば創造的な労力が必要なく想到し得る他の実施例も本願の技術的範囲に含まれる。
【符号の説明】
【００３８】
１：窓枠、１１：横枠、１２：縦枠、１３：方向転換ガイドレール、
１３１：縦部、１３２：方向転換折り曲げ部、２：開放扉、２１：ハンドル、
３：バランスウェイト装置、３１：ハウジング、３２：回転軸、
３３：段プーリ、３３１：螺旋凹溝、３４：渦巻きばね、
４：バランスウェイト牽引ロープ、５：案内定滑車
【図１】
0006983902.tif 000002
【図２】
0006983902.tif 000003
【図３】
0006983902.tif 000004
【図４】
0006983902.tif 000005
【図５】
0006983902.tif 000006
【図６】
0006983902.tif 000007